(57)【要約】【課題】光学ファインダーにおいて特定の処理を行う位置を示す表示をする際に、ユーザの視認性を低下させないようにする。【解決手段】撮像制御装置は、被写体の光学像を観察するためのファインダー部と、前記光学像のある光路上に配置され前記ファインダー部より観察可能な、点灯と非点灯をそれぞれ切替可能な複数のアイテムのある表示手段と、前記光学像において特定の被写体を検出する検出手段と、前記表示手段においては、前記複数のアイテムのうち特定の処理を行う位置を示すアイテムを点灯し、前記検出手段が前記特定の被写体を検出していない場合には、前記アイテムを第１の形態で点灯し、前記検出手段が前記特定の被写体を検出した場合には、前記アイテムをより前記特定の被写体の視認性が高くなる第２の形態で点灯するように制御する制御手段とを有する。【選択図】図３
2018054762.tif 000002
【特許請求の範囲】
【請求項１】
被写体の光学像を観察するためのファインダー部と、
前記光学像のある光路上に配置され前記ファインダー部より観察可能な、点灯と非点灯をそれぞれ切替可能な複数のアイテムのある表示手段と、
前記光学像において特定の被写体を検出する検出手段と、
前記表示手段においては、前記複数のアイテムのうち特定の処理を行う位置を示すアイテムを点灯し、
前記検出手段が前記特定の被写体を検出していない場合には、前記アイテムを第１の形態で点灯し、
前記検出手段が前記特定の被写体を検出した場合には、前記アイテムをより前記特定の被写体の視認性が高くなる第２の形態で点灯するように制御する制御手段とを有することを特徴とする撮像制御装置。
【請求項２】
前記制御手段は、前記複数のアイテムのうち、前記光学像の前記特定の処理が行われる位置に重なる位置のアイテムを点灯するように制御することを特徴とする請求項１に記載の撮像制御装置。
【請求項３】
前記制御手段は、前記検出手段が前記特定の被写体を検出した場合には、前記アイテムを前記第１の形態よりも低い輝度で表示するように制御することを特徴とする請求項１または２に記載の撮像制御装置。
【請求項４】
前記制御手段は、前記検出手段が前記特定の被写体を検出した場合には、前記アイテムを前記第１の形態よりも前記特定の被写体と重なる領域が小さくなるように点灯するように制御することを特徴とする請求項１乃至３のいずれか１項に記載の撮像制御装置。
【請求項５】
前記制御手段は、前記検出手段が前記特定の被写体を検出した場合には、前記アイテムを細く表示するように制御することを特徴とする請求項１乃至４のいずれか１項に記載の撮像制御装置。
【請求項６】
前記制御手段は、前記検出手段が前記特定の被写体を検出しても、前記特定の被写体に前記特定の処理を行えない場合には、前記アイテムを点灯しないように制御することを特徴とする請求項１乃至５のいずれか１項に記載の撮像制御装置。
【請求項７】
被写体の光学像を観察するためのファインダー部と、
前記光学像のある光路上に配置され前記ファインダー部より観察可能な、点灯と非点灯をそれぞれ切替可能な複数のアイテムのある表示手段と、
前記光学像において特定の被写体を検出する検出手段と、
前記検出手段が前記特定の被写体を検出していない場合には、前記複数のアイテムのうち、特定の処理を行う対象となる被写体と重なる位置のアイテムを点灯し、
前記検出手段が前記特定の被写体を検出した場合には、前記複数のアイテムのうち、前記特定の処理を行う対象となる被写体と重なる位置のアイテムを点灯せず、当該被写体と重ならない位置の、当該被写体の位置を示すアイテムを点灯するように制御する制御手段とを有することを特徴とする撮像制御装置。
【請求項８】
前記制御手段は、前記検出手段が前記特定の被写体を検出した場合には、前記検出手段が前記特定の被写体を検出していない場合よりも前記アイテムを低い輝度または細く点灯するように制御することを特徴とする請求項７に記載の撮像制御装置。
【請求項９】
前記制御手段は、前記検出手段が前記特定の被写体を検出した場合には、前記特定の被写体を挟む位置のアイテムを点灯するように制御することを特徴とする請求項７または８に記載の撮像制御装置。
【請求項１０】
前記特定の被写体の位置情報及び大きさの情報を取得する取得手段をさらに有し、
前記制御手段は、前記取得手段が取得した前記特定の被写体の位置情報及び大きさの情報より、前記特定の被写体の中心から４方向にずれた位置のアイテムであり、点灯時に前記特定の被写体と重ならない位置のアイテムを点灯するように制御することを特徴とする請求項７乃至９のいずれか１項に記載の撮像制御装置。
【請求項１１】
前記特定の被写体は、人物の顔であることを特徴とする請求項１乃至１０のいずれか１項に記載の撮像制御装置。
【請求項１２】
前記アイテムは測距点を示しており、
前記特定の処理はオートフォーカスであることを特徴とする請求項１乃至１１のいずれか１項に記載の撮像制御装置。
【請求項１３】
画像を撮像する撮像手段を更に有することを特徴とする請求項１乃至１２のいずれか１項に記載の撮像制御装置。
【請求項１４】
前記表示手段において前記複数のアイテムは前記表示手段の横軸及び縦軸に沿って並んで配置していることを特徴とする請求項１乃至１３のいずれか１項に記載の撮像制御装置。
【請求項１５】
前記特定の処理を行う指示を受付ける受付手段をさらに有し、
前記制御手段は、前記受付手段が前記指示を受付け、前記特定の処理が行われたことに応じて前記アイテムを点灯するように制御することを特徴する請求項１乃至１４のいずれか１項に記載の撮像制御装置。
【請求項１６】
シャッターボタンをさらに有し、
前記制御手段は、前記シャッターボタンを半押したことに応じて、前記受付手段が前記指示を受付け、前記シャッターボタンを全押したことに応じて、撮影を行うように制御する請求項１５に記載の撮像制御装置。
【請求項１７】
前記表示手段に配置される前記アイテムは、少なくとも第１の部分と第２の部分からなっており、前記アイテムの前記第１の部分と前記第２の部分とを別々に点灯可能であることを特徴とする請求項１乃至１６のいずれか１項に記載の撮像制御装置。
【請求項１８】
前記光学像の輝度を検出可能な輝度検出手段をさらに有し、
前記制御手段は、前記表示手段にあるアイテムは、前記輝度検出手段により検出された前記光学像の輝度に基づいた輝度で点灯するように制御することを特徴とする請求項１乃至１７のいずれか１項に記載の撮像制御装置。
【請求項１９】
被写体の光学像を観察するためのファインダー部と、
前記光学像のある光路上に配置され前記ファインダー部より観察可能な、点灯と非点灯をそれぞれ切替可能な複数のアイテムのある表示手段とを有する撮像制御装置の制御方法であって、
前記光学像において特定の被写体を検出する検出ステップと、
前記表示手段において、前記複数のアイテムのうち特定の処理を行う位置を示すアイテムを点灯する表示ステップと、
前記検出ステップにおいて前記特定の被写体を検出していない場合には、前記アイテムを第１の形態で点灯し、
前記検出ステップにおいて前記特定の被写体を検出した場合には、前記アイテムをより前記特定の被写体の視認性が高くなる第２の形態で点灯するように制御する制御ステップとを有することを特徴とする撮像制御装置の制御方法。
【請求項２０】
被写体の光学像を観察するためのファインダー部と、
前記光学像のある光路上に配置され前記ファインダー部より観察可能な、点灯と非点灯をそれぞれ切替可能な複数のアイテムのある表示手段とを有する撮像制御装置の制御方法であって、
前記光学像において特定の被写体を検出する検出ステップと、
前記検出ステップにおいて前記特定の被写体を検出していない場合には、前記複数のアイテムのうち、特定の処理を行う対象となる被写体と重なる位置のアイテムを点灯し、
前記検出ステップにおいて前記特定の被写体を検出した場合には、前記複数のアイテムのうち、前記特定の処理を行う対象となる被写体と重なる位置のアイテムを点灯せず、当該被写体と重ならない位置の、当該被写体の位置を示すアイテムを点灯するように制御する制御ステップとを有することを特徴とする撮像制御装置の制御方法。
【請求項２１】
コンピュータを、請求項１乃至１８のいずれか１項に記載された撮像制御装置の各手段として機能させるためのプログラム。
【請求項２２】
コンピュータを、請求項１乃至１８のいずれか１項に記載された撮像制御装置の各手段として機能させるためのプログラムを格納したコンピュータが読み取り可能な記録媒体。
【発明の詳細な説明】
【技術分野】
【０００１】
本発明は、所定の処理を行う被写体を示す表示制御に関する。
【背景技術】
【０００２】
従来のデジタルカメラなどの撮像制御装置は、オートフォーカス（ＡＦ）の対象となっている位置をユーザに視認可能なように、ファインダー内の表示部に測距点を示す枠（ＡＦ枠）を表示する制御が行われている。ところが、例えば、ＡＦ枠が被写体である人物の顔近辺に表示されている場合、ＡＦ枠が顔の目や口と重なって顔の表情が確認できず、撮影タイミングがわかりにくい状況が想定される。
【０００３】
このようなＡＦ枠の表示制御に関する技術が特許文献１や特許文献２に記載されている。特許文献１では、顔優先ＡＦモードでは検出された顔が収まるようにＡＦ枠を拡大して表示する技術が提案されている。
【先行技術文献】
【特許文献】
【０００４】
【特許文献１】特開２００９−０１７１２１号公報
【発明の概要】
【発明が解決しようとする課題】
【０００５】
しかしながら、光学ファインダーの場合には、ＡＦ枠の大きさを拡大することができないため、特許文献１の方法では、顔にＡＦ枠が重なって表示されてしまう。
【０００６】
本発明は、上記課題に鑑みてなされ、光学ファインダーにおいて特定の処理を行う位置を示す表示をする際に、ユーザの視認性を低下させないようにすることを目的としている。
【課題を解決するための手段】
【０００７】
上記課題を解決し、目的を達成するために、本発明の撮像制御装置は、被写体の光学像を観察するためのファインダー部と、前記光学像のある光路上に配置され前記ファインダー部より観察可能な、点灯と非点灯をそれぞれ切替可能な複数のアイテムのある表示手段と、前記光学像において特定の被写体を検出する検出手段と、前記表示手段においては、前記複数のアイテムのうち特定の処理を行う位置を示すアイテムを点灯し、前記検出手段が前記特定の被写体を検出していない場合には、前記アイテムを第１の形態で点灯し、前記検出手段が前記特定の被写体を検出した場合には、前記アイテムをより前記特定の被写体の視認性が高くなる第２の形態で点灯するように制御する制御手段とを有する。
【発明の効果】
【０００８】
本発明によれば、光学ファインダーにおいて特定の処理を行う位置を示す表示をする際に、ユーザの視認性が低下しなくなる。
【図面の簡単な説明】
【０００９】
【図１】本実施形態のデジタルカメラの構成を示すブロック図。
【図２】本実施形態のデジタルカメラの外観図。
【図３】本実施形態の測距点表示処理を含む撮影処理を示すフローチャート。
【図４】ファインダー内表示部に表示される測距点と測距点の異なる表示形態を例示する図、被写体輝度に応じた顔検出時および顔非検出時の各測距点の点灯輝度の対応関係を示す図。
【図５】顔検出時の測距点の表示例および顔非検出時の測距点の表示例を示す図。
【発明を実施するための形態】
【００１０】
以下に、本発明の撮像制御装置を、静止画や動画を撮影可能なデジタル一眼レフカメラに適用した実施の形態について、添付図面を参照して詳細に説明する。
【００１１】
＜装置構成＞図１及び図２を参照して、本実施形態のデジタルカメラの機能及び外観について説明する。
【００１２】
まず、図１を参照して、本実施形態のデジタルカメラ１００及びレンズユニット１５０の内部構成について説明する。
【００１３】
図１において、レンズユニット１５０は撮影レンズ１５５を搭載し、デジタルカメラ（以下、カメラ）１００に対して着脱可能である。撮影レンズ１５５は通常、複数枚のレンズから構成されるが、ここでは簡略して１枚のレンズのみで示している。通信端子１５６はレンズユニット１５０がカメラ１００と通信を行うための電気的接点である。通信端子１１０はカメラ１００がレンズユニット１５０と通信を行うための電気的接点である。レンズユニット１５０は、通信端子１５６を介してカメラ制御部１４０と通信し、内蔵されたレンズ制御部１５４が絞り駆動回路１５２を制御して絞り１５１を駆動し、ＡＦ駆動回路１５３を制御して撮影レンズ１５５の位置を変位させることで焦点を合わせる。
【００１４】
ＡＥセンサ１１５は、レンズユニット１５０、クイックリターンミラー１１２を通してファインダー光路上のフォーカシングスクリーン１１３上に結像した被写体の輝度（被写体光）を測光する。また、ＡＥセンサ１１５は、被写体から得た各種の情報をカメラ制御部１４０に通知する。カメラ制御部１４０は、被写体の輝度に基づいてレンズユニット１５０を制御してＡＥ（オートエクスポージャー、自動露出設定）処理を行う。
【００１５】
ＡＦセンサ１１１は、カメラ制御部１４０にデフォーカス量に関する情報を出力し、カメラ制御部１４０は、デフォーカス量に応じてレンズユニット１５０を制御してＡＦ（オートフォーカス）処理を行う。
【００１６】
クイックリターンミラー１１２は、露光、ライブビュー表示、動画撮影の際にカメラ制御部１４０から指示を受けて、不図示のアクチュエータによってアップ位置又はダウン位置に駆動される。クイックリターンミラー１１２は、撮影レンズ１５５から入射した光束を接眼ファインダー１１６または撮像部１２０へ切り替える。クイックリターンミラー１１２は通常、光束を反射して接眼ファインダー１１６へ光束を導くようダウン位置に付勢されているが、露光やライブビュー表示には、撮像部１２０へ光束を導くように上方に跳ね上がり光束中から待避する（アップ位置）。また、クイックリターンミラー１１２は、光束の一部が透過してＡＦセンサ１１１に入射するように、中央部がハーフミラーとなっている。撮影者は、ペンタプリズム１１４と接眼ファインダー１１６（の接眼部）を介して、フォーカシングスクリーン１１３上に結像した像を観察することで、レンズユニット１５０を通して得た被写体の光学像の焦点状態や構図を観察可能となる。
【００１７】
ファインダー内表示部１４１は、ファインダー光路上に配置されており、ファインダー内表示部駆動回路１４２を介して、現在ＡＦ処理が行われている測距点（合焦測距位置／合焦測距領域）を示す枠（測距枠）や、カメラの設定状態を表すアイコンなどが表示される。フォーカシングスクリーン１１３とファインダー内表示部１４１は近接した位置にあり、それぞれの表示を一度に確認できるように重ねて配置される。
【００１８】
フォーカルプレーンシャッター１１７は、カメラ制御部１４０の指示に応じて撮像部１２０での露光時間を自由に制御できる。光学フィルタ１１８はローパスフィルタなどから構成され、フォーカルプレーンシャッター１１７から入ってくる光の高周波成分をカットして、撮像部１２０に被写体像（光学像）を導光する。撮像部１２０は被写体の光学像を電気信号に変換するＣＣＤやＣＭＯＳ等の撮像素子で構成されたイメージセンサである。
【００１９】
ＡＭＰ回路１２１は、撮像部１２０で生成された電気信号に対して、予め設定された撮影感度に応じたゲインで撮影信号を増幅する。Ａ／Ｄ変換回路１２２は、撮像部１２０から出力されるアナログ信号をデジタル信号に変換して画像データを生成する。
【００２０】
画像処理回路１２３は、Ａ／Ｄ変換回路１２２によってデジタル信号に変換された画像データに対して、フィルタ処理、色変換処理、ガンマー／ニー処理を行い、メモリコントローラ１２７に出力する。また、画像処理回路１２３は、Ｄ／Ａ変換回路が内蔵されている。画像処理回路１２３は、Ａ／Ｄ変換回路１２２によってデジタル信号に変換された画像データやメモリコントローラ１２７から入力される画像データをアナログ信号に変換して背面表示部駆動回路１２４を介して背面表示部１２５に出力することもできる。これらの画像処理回路１２３による画像処理及び表示処理は、カメラ制御部１４０により切り替えられる。また、カメラ制御部１４０は、ライブビュー画像のカラーバランス情報をもとにホワイトバランス調整を行う。
【００２１】
背面表示部１２５は画像を表示するための液晶パネルである。画像を表示するデバイスであれば液晶パネルに限らず、有機ＥＬなど他の方式のディスプレイであってもよい。
【００２２】
メモリコントローラ１２７は、画像処理回路１２３から入力された未処理の画像データをバッファメモリ１２６に格納したり、画像処理済みの画像データを記録媒体１２８に格納する。また、バッファメモリ１２６や記録媒体１２８から画像データを取り込んで画像処理回路１２３に出力することもできる。また、メモリコントローラ１２７は、外部インタフェース１２９を介して送られてくる画像データを記録媒体１２８に格納したり、記録媒体１２８に格納されている画像データを外部インタフェース１２９を介して外部に出力可能である。外部インターフェースとしては、ＵＳＢ、ＩＥＥＥ、ＨＤＭＩ（登録商標）などのインターフェースが例として挙げられる。記録媒体１２８は、メモリカードなどのカメラ本体に対して着脱可能な記録媒体であるが、内蔵メモリであってもよい。
【００２３】
カメラ制御部１４０はタイミング制御回路１３２を介して撮像部１２０の駆動タイミングを制御する。
【００２４】
電源制御回路１３５は、ＡＣ電源部１３０、もしくは２次電池部１３１より供給され電源を制御する回路である。電源制御回路１３５はカメラ制御部１４０から指示を受けて電源のオン、オフを行う。また、電源制御回路１３５は電源状態検知回路１３４により検知された現在の電源状態の情報や電源種類検知回路１３３により検知された現在の電源の種類の情報をカメラ制御部１４０に通知する。
【００２５】
カメラ制御部１４０はシャッター制御回路１３６を介してフォーカルプレーンシャッター１１７を制御する。
【００２６】
光学フィルタ振動制御回路１３７は、光学フィルタ１１８に接続されている圧電素子１１９を振動させる回路である。振動の振幅、振動時間、振動の軸方向をそれぞれ所定の値で圧電素子を振動させるように、カメラ制御部１４０の指示に従い振動させる。
【００２７】
不揮発性メモリ１３８は、電気的に消去・記録可能な、例えばＥＥＰＲＯＭなどである。不揮発性メモリ１３８には、カメラ制御部１４０の動作用の定数、プログラム等が記憶される。ここでいう、プログラムとは、後述する各種フローチャートを実行するためのプログラムのことである。
【００２８】
揮発性メモリ１３９はＲＡＭなどであり、カメラ制御部１４０の動作用の定数、変数、不揮発性メモリ１３８から読み出したプログラムなどを展開するワークメモリとしても使用される。
【００２９】
ファインダー外表示部１４３には、ファインダー外表示部駆動回路１４４を介して、シャッター速度や絞りなどのカメラの様々な設定値が表示される。
【００３０】
操作部１４５は、ユーザからの操作を受け付けて、カメラ制御部１４０へ通知する入力部であり、少なくとも以下の操作部材が含まれる。シャッターボタン２０１、メイン電子ダイヤル２０２、サブ電子ダイヤル２０３、電源スイッチ２０４、プロテクトボタン２０５、メニューボタン２０６、削除ボタン２０７、拡大モードボタン２０８、再生ボタン２０９、測距点選択ボタン２１０、マルチコントローラ２１１。
【００３１】
カメラ制御部１４０は、カメラ１００全体を統括して制御するＣＰＵやＭＰＵを備え、不揮発性メモリ１３８に格納されたプログラムを実行することで、後述するフローチャートの各処理を実現する。
【００３２】
次に、図２を参照して、本実施形態のデジタルカメラ１００の外観構成について説明する。
【００３３】
図２（ａ）はカメラ１００の前面斜視図であり、図２（ｂ）はカメラ１００の背面斜視図である。図１において、図１と共通する構成には同じ符号を付して示している。
【００３４】
シャッターボタン２０１は、撮影準備指示や撮影指示を行うための操作部材である。シャッターボタン２０１が半押しされると、カメラ制御部１４０はＡＦ処理、ＡＥ処理、ＡＷＢ処理などの撮影準備処理を開始する。また、シャッターボタン２０１が全押しされると、カメラ制御部１４０は、撮像部１２０からの信号読み出しから記録媒体１２８に画像データを書き込むまでの一連の撮影処理を開始する。
【００３５】
メイン電子ダイヤル２０２は操作部１４５に含まれる回転操作部材であり、ユーザは、メイン電子ダイヤル２０２を回すことで、シャッター速度や絞りなどの設定値を変更したり、拡大モードでの拡大倍率の微調整を行うことができる。
【００３６】
サブ電子ダイヤル２０３は操作部１４５に含まれる回転操作部材であり、ユーザは、サブ電子ダイヤル２０３を回すことで絞りや露出補正などの設定値を変更したり、画像表示状態での画像の１枚送り操作などを行うことができる。
【００３７】
電源スイッチ２０４は電源のオンまたはオフを行うための操作部材である。プロテクトボタン２０５は、記録媒体１２８に保存されている画像データに対して、プロテクトやレーティングといった処理を施すための操作部材である。
【００３８】
メニューボタン２０６は、各種の設定が可能なメニュー画面を背面表示部１２５に表示させるための操作部材である。
【００３９】
削除ボタン２０７は、記録媒体１２８に保存されている画像データの削除を指示するための操作部材である。拡大モードボタン２０８は、再生状態において、拡大モードへの遷移指示（拡大モードの開始指示）、拡大モードから抜ける指示（拡大モードの終了指示）を行う操作を受付ける操作部材である。
【００４０】
再生ボタン２０９は、記録媒体１２８に保存されている画像データを背面表示部１２５に表示させる操作部材である。測距点選択ボタン２１０は、オートフォーカスの開始位置である測距点を選択するモードに遷移するための操作部材である。
【００４１】
マルチコントローラ２１１は、オートフォーカスの開始位置である測距点の設定や、拡大画像表示状態において拡大枠（拡大している範囲）の移動を行うための複数方向に操作可能な操作部材である。
【００４２】
ＷＢ／測光モード選択ボタン２１３は、ＷＢと測光モードを選択するモードに遷移するための操作部材である。カメラ１００がこのモードの場合に、メイン電子ダイヤル２０２を操作されると測光モードの変更が行われ、サブ電子ダイヤル２０３が操作されるとＷＢモードの変更が行われる。
【００４３】
ここで、顔検出方法について説明する。上述したデジタルカメラ１００では中央１点ＡＦや顔ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。
【００４４】
顔検出機能について説明する。カメラ制御部１４０は顔検出対象の画像データを画像処理回路１２３に送る。カメラ制御部１４０の制御下で画像処理回路１２３は、当該画像データに水平方向バンドパスフィルタを作用させる。また、カメラ制御部１４０の制御下で画像処理回路１２３は処理された画像データに垂直方向バンドパスフィルタを作用させる。これら水平及び垂直方向のバンドパスフィルタにより、画像データよりエッジ成分が検出される。
【００４５】
その後、カメラ制御部１４０は、検出されたエッジ成分に関してパターンマッチングを行い、目及び鼻、口、耳の候補群を抽出する。そして、カメラ制御部１４０は、抽出された目の候補群の中から、予め設定された条件（例えば２つの目の距離、傾き等）を満たすものを、目の対と判断し、目の対があるもののみ目の候補群として絞り込む。そして、カメラ制御部１４０は、絞り込まれた目の候補群とそれに対応する顔を形成する他のパーツ（鼻、口、耳）を対応付け、また、予め設定した非顔条件フィルタを通すことで、顔を検出する。カメラ制御部１４０は、顔の検出結果に応じて上記顔情報を出力し、処理を終了する。このとき、顔の数などの特徴量を揮発性メモリ１３９に記憶する。また、検出された顔の位置情報、大きさ情報なども検出する。
【００４６】
以上のようにライブビュー表示あるいは再生表示される画像データを画像解析して、画像データの特徴量を抽出して被写体情報を検出可能である。本実施形態では被写体情報として顔情報を例に挙げたが、被写体情報には他にも赤目判定や目の検出、目つむり検出、笑顔検出等の様々な情報がある。
【００４７】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００４８】
図４（ａ）は、表示される測距点と座標位置との関係を表したイメージ図である。各測距点は、ファインダー内表示部１４１において横軸及び縦軸に沿って並んで配置され、それぞれ対応する座標位置を持っている。各測距点のある位置（被写体）に合焦すると、アイテムが点灯する。ユーザは各測距点の位置にあるアイテムと、撮影レンズ１５５を介して視認できる被写体とが重畳された状態で、ファインダー部で視認できる。よって、所望の被写体に合焦したかどうか、撮影のタイミングが良いかどうかを確認することができる。図４（ｂ）〜（ｄ）は、図４（ａ）に示した各測距点を示すアイテムの拡大図を示したものである。
【００４９】
図４（ｂ）は、別々に点灯可能な内側の第１の部分と外側の第２の部分の２つのアイテムで構成されることを示している。点線で示される内側のアイテム４０１と外側のアイテム４０２とは、独立して点灯／非点灯の切替可能なアイテム（セグメント、素子）である。図４（ｂ）では説明のために各アイテムを点線で示している。図４（ｃ）は、内側のアイテム４０１のみを点灯した場合の表示例であり、図４（ｄ）は、内側と外側の両方のアイテム４０１、４０２を点灯した場合の表示例である。このように内側のアイテム４０１と外側のアイテム４０２とをそれぞれ点灯することができるので、測距点を示す表示の太さを変更することができる。また、図４（ｅ）は、各アイテムの点灯時の輝度と被写体輝度の関係を示す表である。
【００５０】
なお、図４（ａ）の測距点と座標位置の関係を示すデータや図４（ｂ）〜（ｄ）のアイテムデータは、不揮発性メモリ１３８に格納されている。カメラ制御部１４０は、図３で後述する測距点表示処理を行う際に、不揮発性メモリ１３８から図４のデータを読み出して、参照可能に揮発性メモリ１３９に保持する。
【００５１】
次に、図３を用いて本実施形態における測距点の表示処理を説明する。図３の処理は、デジタルカメラ１００に電源がオンされ、ファインダー内表示部１４１に表示が可能になると開始される。この処理は、不揮発性メモリ１３８に記録されたプログラムを揮発性メモリ１３９に展開してカメラ制御部１４０が実行することで実現する。。本実施形態のカメラ１００は、ＡＦ方式としてコントラスト方式や位相差方式などを用いたファインダー表示モードによる撮影が可能である。
【００５２】
Ｓ３００では、カメラ制御部１４０は、シャッターボタン２０１が半押しされているか否か判定し、半押しされている場合はＳ３０１に進み、そうでない場合は処理を終了する。
【００５３】
Ｓ３０１では、カメラ制御部１４０は、ＡＥセンサ１１５を制御して測光処理（輝度検出）および顔検出処理を開始する（撮影準備処理）。
【００５４】
Ｓ３０２では、カメラ制御部１４０は、Ｓ３０１での測光処理の結果として、ＡＥセンサ１１５から被写体（顔）の輝度情報を取得する。
【００５５】
Ｓ３０３では、カメラ制御部１４０は、Ｓ３０１での顔検出処理の結果として、ＡＥセンサ１１５から顔の有無情報を取得する。
【００５６】
Ｓ３０４では、カメラ制御部１４０は、ＡＦセンサ１１１を制御してＡＦ処理を開始する。
【００５７】
Ｓ３０５では、カメラ制御部１４０は、Ｓ３０３で取得した顔の有無情報から、顔が検出されている場合はＳ３０６に進み、検出されていない場合はＳ３０８に進む。
【００５８】
Ｓ３０６では、カメラ制御部１４０は、Ｓ３０５において検出された顔位置に対応する測距点の位置と、大きさ、被写体輝度の情報を含む顔情報を取得する。
【００５９】
Ｓ３０７では、カメラ制御部１４０は、検出された顔に合焦されたことを示す表示（顔用の測距点表示）を行う。顔が検出され、合焦した場合に、図４（ｄ）のアイテム４０４のように測距点を表示してしまうと、撮影者がピントを合わせようとしている被写体の顔が隠れてしまい、合焦していることは分かるが被写体の表情や様子が分かりにくい。撮影者は撮影を行った後に被写体が眼をつぶってしまったのか、良い表情であったのかを確認することになり、被写体が所望の状態でなかった場合には撮影をし直さなければならなくなる。もしくは、撮影のタイミングがつかめず結局撮影のタイミングを逃してしまう可能性もある。よって、顔が検出され、さらに合焦された場合には、被写体の表情や顔の様子が分かりやすくなるように、測距点を示す表示を薄く表示したり、線を細く表示したり、顔に重ならないように表示をするようにする。すなわち、顔以外の被写体に合焦した時よりも合焦した被写体（顔）の視認性が高くなるように測距点を表示する。
【００６０】
ファインダー内表示部１４１は、ファインダー光路上に配置されており、レンズユニット１５０を通して得た被写体の光学像と測距点が重なってファインダーを覗くユーザに見える。光学像の中の被写体の位置や顔の大きさは変化するが、ファインダー内表示部１４１において表示可能な測距点は図４（ａ）に示すように予め決まっており、これらを点灯するか、しないかの制御によって測距点をユーザに示す。
【００６１】
このような液晶表示画面において、測距点の表示が顔に重なり表情が見えにくくならないようにするためには、顔に重なる測距点を表示（点灯）するが、より表情が見えるようにするとよい。または、顔に重なる測距点は表示（点灯）せず、顔のまわりの測距点を表示することで撮影者が被写体の顔にピントが合っていることを確認できるようにする。このように、限られた表示アイテムであっても、顔が検出された場合には表示の方法を変えることで、被写体の顔の表情が分かりにくくならない。なお、線を細く表示する以外にも、測距点を示すアイコンが点灯した場合に、顔を重なる領域が小さくなるように、アイコンの四隅を点灯したり、アイコンの一部の線のみを点灯したりしてもよい。
【００６２】
なお、Ｓ３０５において顔が検出されていても、検出された顔に合焦していない（合焦できなかった）場合には、Ｓ３０１へ戻り、撮影準備処理を継続する。つまり、検出された顔に合焦している場合には、顔以外の被写体に合焦した場合とは測距点の表示形態を変え、検出された顔に合焦していない場合には、何も表示しない。さらに言い換えると、合焦位置を示す表示は、顔が検出されている場合と、顔が検出されていない場合とで異なり、顔が検出されている場合には合焦対象の様子をユーザが見えやすいように表示をする。
【００６３】
ここで、Ｓ３０７における顔用の測距点の表示処理とＳ３１０における顔以外の被写体の測距点の表示処理の具体例を説明する。
【００６４】
Ｓ３０５において顔が検出された場合には、Ｓ３０６において顔の位置に対応する測距点の位置と、大きさ、被写体輝度の情報を含む顔情報を取得し、Ｓ３０７において顔用の測距点を示す表示をする。顔の位置に合焦したことを示す際に、測距点を示す表示を通常と同じように（図４（ｄ）に示すように）表示してしまうと、顔の表情が見えにくくなる可能性がある。よって、顔が検出された場合には、図４（ｃ）に示すようにアイテム４０１のみを点灯し、アイテム４０２を点灯せず、測距点４０３の線が通常の測距点４０４よりも細くして表示をする。顔が検出された場合の測距点の表示例（点灯例）としては、線を細くすることのほかに、輝度を下げる方法や、表示位置を顔に重ならないように異なる測距点に表示位置を変更する方法がある。
【００６５】
図５は、実際にファインダー内表示部１４１における測距点の表示例を示したものである。図５（ａ）〜（ｄ）は人物である被写体Ｕの顔が検出された場合の表示例を示したものである。
【００６６】
図５（ａ）に示す測距点５０１は、顔の検出された位置に対応する測距点であり、アイテム４０１とアイテム４０２とが通常の場合よりも薄い輝度で表示された状態を示す。図４（ｅ）に示すように、顔が検出された場合でも検出されない場合でも、被写体の輝度が明るくなるほどアイテム４０１と４０２の輝度を明るくしていく。同じ被写体の輝度であっても、顔が検出された場合にはそうでない場合よりもアイテム４０１とアイテム４０２の輝度を低くすることにより検出した顔の表情が分かりやすくするようにする。
【００６７】
図５（ｂ）に示す測距点５０２は、顔の検出された位置に対応する測距点であり、アイテム４０１のみが細い線で表示された状態を示す。このとき、アイテム４０１の点灯輝度は、顔が検出されていない場合の測距点の点灯輝度と同じでもよいし、輝度を下げて表示をしてもよい。
【００６８】
図５（ｃ）に示す測距点５０３は、顔の検出された領域を示す測距点であり、顔の検出された領域のまわりの領域の測距点のアイテム４０１とアイテム４０２が点灯された状態を示す。このとき、アイテム４０１とアイテム４０２の輝度は、顔が検出されていない場合と同じでもよいし、輝度を下げてもよい。また、アイテム４０１のみを点灯するようにしてもよい。顔に重畳した測距点を点灯しない場合であっても、輝度を下げたり、線を細くして表示をすることにより、ユーザが点灯した測距点をまぶしく感じにくくなり、より被写体の顔の表情が見やすくなる。図５（ｃ）では顔領域の中心から４方向にずれた四隅の測距点を点灯することを説明したが、図５（ｄ）に示す測距点５０４ように顔の領域の上下左右の測距点を点灯するようにしてもよい。
【００６９】
図５（ｅ）は、Ｓ３０５においてＮＯと判定され（顔非検出時）、Ｓ３０８において合焦されたと判定された場合のＳ３１０における測距点の点灯例を示すものである。図５（ｅ）には、人物でない被写体が撮像部により取得されており、顔が検出されていない場合の測距点を様子を示している。測距点５０５は、Ｓ３０４において開始されたＡＦ処理により合焦した測距点の位置を示している。このとき測距点５０５は、アイテム４０１とアイテム４０２とが点灯しており、さらに点灯輝度は、図５（ｅ）に示すように顔が検出された場合のアイテムの輝度よりも濃く表示する。
【００７０】
図３の説明に戻り、Ｓ３０８では、カメラ制御部１４０は、Ｓ３０４でＡＦ処理を行った結果、所定の被写体に対して合焦状態にあるか否か判定し、合焦状態である場合はＳ３０９に進み、そうでない場合はＳ３０１へ進む。
【００７１】
Ｓ３０９では、カメラ制御部１４０は、合焦状態にある被写体の測距点（合焦測距位置）を算出する。
【００７２】
Ｓ３１０では、カメラ制御部１４０は、Ｓ３０９で算出した測距点（合焦測距位置）を通常の明るさ、太さで表示する。すなわち、図５（ｅ）に示す測距点５０５のように、アイテム４０１とアイテム４０２とを表示し、さらに被写体の輝度に応じて図４（ｅ）の顔非検出時の輝度で表示する。同じ被写体輝度の場合には、顔が検出されていない場合の方が高い輝度でアイテムが表示される。ただし、被写体の輝度がＥｖ３以上になった場合には、顔の検出状態に関わらず高い輝度でアイテムを表示する。顔が検出されていない場合には、ユーザが被写体の様子を確認して合焦指示をした時から、大きく様子が変わっている可能性が低い。また、人物の表情よりも変化が小さい可能性が高いので、ユーザがより測距点を視認しやすいように表示をする。すなわち、顔以外の被写体に合焦した場合には、撮影タイミングによって大きく被写体の様子が変わる可能性が低く、測距点の視認性を上げた方がユーザにとって分かりやすい表示（視認性の高い）となる。
【００７３】
Ｓ３１１では、カメラ制御部１４０は、シャッターボタン２０１が全押しされたか否かを判定し、全押しさた場合はＳ３１２に進み、そうでない場合はＳ３１３へ進む。Ｓ３１２では、カメラ制御部１４０は、撮影処理を行う。
【００７４】
Ｓ３１３では、カメラ制御部１４０は、シャッターボタン２０１が半押しされた状態が続いているか否かを判定し、半押し状態が続いている場合はＳ３０１に戻り撮影準備処理を継続し、そうでない場合はＳ３１４へ進む。
【００７５】
Ｓ３１４では、カメラ制御部１４０は、Ｓ３０７またはＳ３１０で表示した測距点を非表示にする。Ｓ３１５では、カメラ制御部１４０は、撮影終了操作（電源をオフとする操作や再生モードに遷移する操作等）がなされたか否かを判定する。撮影終了操作がなされていない場合はＳ３００に戻り、撮影終了操作がされた場合は、処理を終了する。
【００７６】
なお、顔の周囲に表示される測距点は、４箇所に限られず、また、図５（ｃ）のような四角形状ではなく、図５（ｄ）のようにひし形状に表示したり、図５（ａ）や図５（ｂ）のように細い線や暗い輝度で表示してもよい。
【００７７】
なお、上述した実施形態では、ＡＦ対象の被写体に測距点を表示する制御について説明したが、これに限らず様々な処理に適用可能である。例えば、ＡＥ（オートエクスポージャー、自動露出設定）、ＡＷＢ（オートホワイトバランス）といった処理を行う際の対象位置を表示する場合にも適用可能である。また、追尾対象を表示する場合においても、適用可能である。
【００７８】
なお、カメラ制御部１４０の制御は１つのハードウェアが行ってもよいし、複数のハードウェアが処理を分担することで、装置全体の制御を行ってもよい。
【００７９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８０】
また、上述した実施形態においては、本発明の撮像制御装置をＡＦ機能を搭載するデジタル一眼レフカメラに適用した例を説明したが、これに限定されず、画像に所定の処理を行う位置を示すガイドを表示する装置であれば適用可能である。すなわち、本発明は、パーソナルコンピュータやタブレット端末、携帯電話端末やスマートフォン、ＰＤＡ（携帯情報端末）、携帯型の画像ビューワ、音楽プレーヤ、ゲーム機、電子ブックリーダ、プリンタ、スキャナ、ファクシミリにも適用可能である。さらに複写機などの機能が搭載された事務機器、医療機器などにも適用可能である。また、本発明の撮像制御装置は、デジタルカメラ等の撮像装置で撮像されたライブビュー画像を有線または無線通信を介して受信して表示し、遠隔操作によりデジタルカメラ（ネットワークカメラを含む）に撮影指示を行える携帯電話やスマートフォン、タブレットＰＣやデスクトップＰＣなどにも適用可能である。
【００８１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８２】
１００…デジタルカメラ、１１５…ＡＥセンサ、１４０…カメラ制御部、１４１…ファインダー内表示部
【図１】
2018054762.tif 000003
【図２】
2018054762.tif 000004
【図３】
2018054762.tif 000005
【図４】
2018054762.tif 000006
【図５】
2018054762.tif 000007